【事件の表示】
　平成１１年特許願第　８７１５２号「表示装置」拒絶査定不服審判事件〔平成１２年１０月１３日出願公開、特開２０００−２８４９４０〕について、次のとおり審決する。
【結　論】
　本件審判の請求は、成り立たない。
【理　由】
１．手続の経緯
　本願は、平成１１年３月２９日の出願（特願平１１−８７１５２号）であって、平成１７年２月１６日付で拒絶査定がなされ、これに対して、平成１７年３月２３日に拒絶査定不服審判の請求がなされ、平成１７年４月２２日付で手続補正がなされたものである。
　
２．平成１７年４月２２日付の手続補正についての補正却下の決定について
　
［補正却下の決定の結論］
　平成１７年４月２２日付の手続補正（以下、「本件補正」という。）を却下する。
　
［補正却下の決定の理由］
　本件補正により、特許請求の範囲は、平成１６年８月３０付手続補正書の特許請求の範囲に記載の、
「　【請求項１】　規定された所定個数のドットを縦方向及び横方向に配置し、該配置されたドットによって１文字分の表示を行う部分ドット表示部を備えるとともに、該部分ドット表示部を１又は複数個組み合わせて文字列等を表示する全ドット表示部を備えた表示装置において、
　前記全ドット表示部の縦方向及び横方向のドットの点滅を制御する一組のドライバ手段
を備えるとともに、
　前記全ドット表示部は、
　所定サイズの標準ドットによって文字等を表示する文字表示部と、
　該文字表示部に隣接して設けられ、前記標準ドットより大きなサイズのアイコン用ドットによってアイコンに関する表示を行うアイコン表示部と、
　を備え、
　更に、前記部分ドット表示部のうち前記アイコン表示部を有する前記部分ドット表示部
は、
　前記規定された所定個数の配置からなるドットを、
　前記部分ドット表示部にて文字等を表示する前記文字表示部と、該文字表示部の上又は下に設けられた前記アイコン用ドットの１ドット１行と、に区分した構成とするか、
　或は、前記部分ドット表示部にて文字等を表示する前記文字表示部と、該文字表示部の右又は左に設けられた前記アイコン用ドットの１ドット１行と、に区分した構成としたことを特徴とする表示装置。
　【請求項２】　前記アイコン用ドットは、前記標準ドットより長い寸法に設定されていることを特徴とする前記請求項１に記載の表示装置。
　【請求項３】　前記アイコン用ドットと前記標準ドットとの間には、前記標準ドット同士の間隔より大きな間隔が設定されていることを特徴とする前記請求項１又は２に記載の表示装置。
　【請求項４】　前記部分ドット表示部の外側の枠体には、前記アイコン用ドットに対応する位置にアイコンマークが記載されていることを特徴とする前記請求項１〜３のいずれかに記載の表示装置。」が
　
「【請求項１】規定された所定個数のドットを縦方向及び横方向に配置し、該配置されたドットによって１文字分の表示を行う部分ドット表示部を備えるとともに、該部分ドット表示部を複数個組み合わせて文字列等を表示する全ドット表示部を備えた表示装置において、
　前記全ドット表示部の縦方向及び横方向のドットの点滅を制御する一組のドライバ手段を備えるとともに、
　前記部分ドット表示部からなる前記全ドット表示部は、
　所定サイズの標準ドットによって文字等を表示する文字表示部と、
　該文字表示部に隣接して設けられ、前記標準ドットより大きなサイズのアイコン用ドットによってアイコンに関する表示を行うアイコン表示部と、
　を備え、
　更に、前記部分ドット表示部のうち前記アイコン表示部を有する前記部分ドット表示部は、
　前記規定された所定個数の配置からなるドットを、
　前記部分ドット表示部にて文字等を表示する前記文字表示部と、該文字表示部の上又は下に設けられた前記アイコン用ドットの１ドット１行と、に区分した構成とするか、
　或は、前記部分ドット表示部にて文字等を表示する前記文字表示部と、該文字表示部の右又は左に設けられた前記アイコン用ドットの１ドット１行と、に区分した構成としたことを特徴とする表示装置。
　【請求項２】　前記アイコン用ドットは、前記標準ドットより長く、且つ各アイコン用ドットの長さは同じであることを特徴とする前記請求項１に記載の表示装置。
　【請求項３】　前記アイコン用ドットの幅は、前記標準ドットの幅と等しく、且つ前記アイコン用ドットの面積は、それぞれ同じであることを特徴とする前記請求項２に記載の表示装置。
　【請求項４】　前記アイコン用ドットは、長方形であることを特徴とする前記請求項２又は３に記載の表示装置。
　【請求項５】　前記アイコン用ドットの面積は、前記標準ドットの面積の２倍以上３倍以下であることを特徴とする前記請求項１〜４のいずれかに記載の表示装置。
　【請求項６】　前記アイコン表示部では、電池の電圧に応じた表示を行い、電圧が高い場合には多くのドットが点滅するようにしたことを特徴とする前記請求項１〜５のいずれかに記載の表示装置。
　【請求項７】　前記アイコン用ドットと前記標準ドットとの間には、前記標準ドット同士の間隔より大きな間隔が設定されていることを特徴とする前記請求項１〜６のいずれかに記載の表示装置。
　【請求項８】　前記部分ドット表示部の外側の枠体には、前記アイコン用ドットに対応する位置にアイコンマークが記載されていることを特徴とする前記請求項１〜７のいずれかに記載の表示装置。」と補正された。
　
　そして、この補正は、特許請求の範囲について、その請求項の数を増加する補正であって、平成１８年改正前特許法第１７条の２第４項第１〜４号のいずれの事項をも目的とする補正ではないから、同法第１７条の２第４項の要件を満たしていない。
　したがって、本件補正は、特許法第１５９条第１項で読み替えて準用する特許法第５３条第１項の規定により却下されるべきものである。
　
  ３．本願発明について
（１）本願発明
　平成１７年４月２２日付の手続補正は上記のとおり却下されたので、本願の請求項１に係る発明（以下、「本願発明」という。）は、平成１６年８月３０日付手続補正書の請求項１に記載された事項により特定されるものである。（上記、「２．［補正却下の決定の理由］」の記載参照。）
　
（２）引用例
　原査定の拒絶の理由に引用され、本願の出願前に頒布された刊行物である特開平１０−２４０２０３号公報（以下、「引用例１」という。）には、以下の点が記載されている。
　
ア．「【請求項１】　第１のグループの電導性パス及び第２のグループの電導性パスに関連させた電圧感応媒体を備えるドットマトリックス形式の表示装置において、電位差が前記の電導性パスによって設定される時、多数のドット領域を形成するように、電圧感応媒体の光学状態は局部的に変えられ、第１のグループの前記ドット領域は、ほぼ均一なドットパターンに配置され、英数字記号及びそのようなものを表示するための第１の表示領域を形成し、第２のグループの前記ドット領域は、所定のパターンに配置され、所定のアイコンを表示するためのアイコン領域を形成し、１方向では、ドット領域の形は主表示領域のドットサイズに適合し、別の方向では、ドット領域の形はアイコンの形に適合するようにしたことを特徴とする表示装置。
　　【請求項２】　主表示領域はマトリックスの規則的なドットとして形成され、アイコン領域は主表示領域に沿って１列もしくはそれ以上の列のドットとして形成され、前記の１列もしくはそれ以上の列に交差するドットの長さは前記の１列もしくはそれ以上の列に沿うドットの長さよりも実質的に長いような請求項１に記載の表示装置。
　　【請求項３】　アイコン領域は、１列のドットから成り、その列に交差するドットのグループの長さは、当該ドットのグループによって表示されるアイコンの長さに対応するような請求項１から２に記載の表示装置。
　　【請求項４】　主表示領域に対する前記のパスのグループの１つは、アイコン領域のドットを選定するために使用されるような請求項３に記載の表示装置。
　　【請求項５】　主表示領域と関連するドライバーとの間のワイヤーはアイコン領域を通過するような請求項１に記載の表示装置。」
　
イ．「【０００７】
　　【発明の実施例】
　以下に、図を参照して、好ましい実施例についてより詳細に本発明を説明する。好ましい実施例では、既知のＬＣＤ表示装置のような、第１のグループの電導性パス及び第２のグループの電導性パスの電導体は、交差点が電極もしくはスイッチを形成する並行パスとして配置される。２つのグループからのパスは、相互に交差して延び、それらの間には、電圧感応媒体が配置される。このように、表示装置のドットの形を決めるのは、電極もしくはスイッチの長さである。表示装置は、第１のグループの電導性パス及び第２のグループの電導性パスが、ガラスであるのが好ましい各々の基板ディスク上に配置されている後方から照射される表示装置であり、そして更に、その表示装置は、交差する偏光方向を有する各々の偏光子を備えており、その表示装置において、電圧感応媒体は、電圧の印加によって、結晶を通過する光の偏光を変える液晶（ねじれネマチック）であるのが好ましい。このタイプの物質（ＴＮ）は、すなわち、視覚の増大を可能とする様々な光学属性を有するいくつかの形式（ＳＴＮ、ＤＳＴＮ、ＭＳＴＮ、等）で使用できる。
【０００８】
　本発明に従って、ドットは、それらが表示しなければならないアイコンに応じて、アイコン領域に形成される。それらの高さは、図３に従うアイコンの高さによって与えられる。しかし、それらの幅は、主に主表示領域のドット幅に対応する。もし、アイコンが主表示領域に表示されるならば、そのアイコンは、点形の多数の規則的なドットから構成されなければならないであろう。しかし、アイコン領域に表示される時、そのアイコンは当該アイコンに「合わせてつくられた」多数のドットから構成され、従って、実際には、裸眼では見えない多数の細い線によって、そのアイコンは分割されている。これによって、アイコン領域は、ドットマトリックス表示において、電気的に１列もしくはそれ以上の列として機能し、そして当然、この領域への電導性パスは、アイコン領域を通って延ばされ、またアイコンを形成するドットを選定するために使用される。このように、アイコン列は、１方向でドットマトリックス表示に対応する解決策を有する。ドットは、この方向に交差して、アイコンの全幅もしくはそのかなりの部分にわたって延びる。こうして、本発明は、ドットマトリックス領域からのワイヤーがアイコン領域を通過することを可能としつつ、アイコン列−すなわち、良いグラフィックの外観を有する小数の選定可能なドットの伝統的なシステムの利点を得ることを可能にする。
【０００９】
　第１のグループの電導性パス及び第２のグループの電導性パスの電導体は、交差点が、電極もしくはスイッチを形成する並行パスとして配置される。２つのグループからのパスは、相互に交差して延び、それらの間には、電圧感応媒体が配置される。このように、ドットの形を決めるのは、電極もしくはスイッチの長さである。以下に、図１及び図２に関して、例で、本発明をより詳細に説明する。本発明のＬＣＤ表示モジュールは、携帯電話において、好ましい実施例で使用される。電話は、電話が通信するネットワークとの電話の通信を制御するＣＰＵ１０を有する。加えて、ＣＰＵ１０は、ＬＣＤ表示装置１４を含む電話器のユーザインターフェースを制御する。ＣＰＵ１０及び表示装置１４との間の接続は、電話器に内蔵され、ＣＰＵ１０と表示装置１４の列及び行のための２つのドライバー１２、１３との間のインターフェースとして機能するコントローラ１１を経由する。そうでなければ、ドライバー１２、１３をＣＰＵ１０から直接制御するのは、かなり時間の浪費であり、そして、更にいくらかのプログラミングを必要とする。その理由は、各々のビット（ドット／ピクセル）は別々に、もしくは、例えば、無停止サイクルにおいて時間当たり４ビットといったかなり小さいグループとして書き込まれなければならないからである。表示装置１４が、限定された数の列及び行（例えば、全部で２００以下）を有する時、コントローラ１１及びドライバー１２、１３を１つの同じチップに統合することができる。対応して、もし表示装置が非常に大きいならば、ドライバーの数を増大することが必要である。
【００１０】
　コントローラー１１は、すなわち、文字の生成及び表示装置１４の継続的な更新の責任がある。文字の生成は、しかしながら、電話チップセットのＭＣＵ（図示されていない）に含まれるのが有利かもしれない。コントローラ１１は、上記サイクル中にＣＰＵ１０からのデータのバッファとして使用される付随する（好ましくはチップ上の）ＲＡＭを有する。好ましい実施例では、表示装置１４は、ＬＣＤ表示装置１４の後ろに、それと並行に配置された板状光導波路１５によって、後方から照射される。ＬＣＤ表示装置１４に面している光導波路１５の側面は、集積マイクロレンズとして機能する表面を粗くなどした増光素子もしくは光導波路の通常の方向に光の放射を増大するホログラフィック素子で形成される。光導波路１５は、多数の発光ダイオード１６（ＬＥＤ）によって縁端を照射され、そして縁端がくっきりとして、照射された縁端から内側に光が集束するのが有利である。これによって、照射される縁端からの距離に応じて相対的な光の放射を増大して、光導波路からの均一な光の放射が達成される。
【００１１】
　多数のキー１８を有するキーパッド１７は、表示装置１４の主表示領域に隣接しても良く、そして電話の長さ方向にアドレスされる電話マトリックスドットのドライバー１２は、表示装置１４の上方に配置されても良い。これによって、もし、キー１９の機能が電話器のモードによって変わるならば、ＣＰＵ１０は、キーパッド１７のキー１９の機能を当該キー１９に近い所定の領域２０に表示しても良い。好ましい実施例では、これらの所定の領域２０は、規則的な（例えば、長方形もしくは正方形）ドット２７を有するドットマトリックス表示装置として設計された主表示領域２１の下部に配置される。主表示領域２１の上方に、アイコン領域２２が有り、好ましい実施例では、そのアイコン領域は、電気的に、主表示領域２１の統合された部分として見なされることができる。何故ならば、アイコン領域２２のドットは、不規則な形のドットの列として見なされることができるからである。１方向のそれらの長さは、主表示領域２１の他のドットの長さに正確に一致するが、交差方向のそれらの長さは、アイコン−特定である。
【００１２】
　図３は、本発明の表示画像の好ましい実施例を示す。好ましい実施例では、主表示領域２１は、例えば、５０×１００ドットの全グラフィックドットマトリックス表示装置として形成され、１６×３２ｍｍの表示領域を有し、その表示領域は、約８０ｄｐｉの分解能を与える。アイコン領域２２のドット２７は、形が不規則であり、いくつかのアイコンは、表示のために、アイコン列に交差する方向により多くのドットを必要とすることが分かる。アイコン列の縦方向の分解能は、主表示領域の分解能に一致するが、交差方向の分解能は変わる。２つのアイコン２４及び２５が示されており、どのように１方向のワイヤー２６がアイコン２４、２５のドット部分もしくは単にアイコンとアイコンとの間を通過するかが分かる。表示ドライバー１２、１３は、表示装置１４の２つの縁端２３に沿って配置される。」
　
ウ．【図２】は表示装置の前面図が記載されており、主表示領域２１とアイコン領域２２からなる表示領域の縦方向及び横方向に、それぞれ、ドライバ１２，１３が配置され、該ドライバ１２，１３からは、それぞれ平行に、相互に交差する方向に、複数のパスが延びているところが読み取れる。
　
　上記記載事項ア．乃至ウ．から、
・「主表示領域２１は、例えば、５０×１００ドットの全グラフィックドットマトリックス表示装置として形成され」ること、
・「第１のグループの前記ドット領域は、ほぼ均一なドットパターンに配置され、英数字記号及びそのようなものを表示するための第１の表示領域を形成し」ていること、
・「主表示領域２１とアイコン領域２２からなる表示領域の縦方向及び横方向に、それぞれ、ドライバ１２，１３が配置され、該ドライバ１２，１３からは、それぞれ平行に、相互に交差する方向に、複数のパスが延びている」こと、
・「２つのグループからのパスは、相互に交差して延び、それらの間には、電圧感応媒体が配置される。」こと、
・「主表示領域２１の上方に、アイコン領域２２が有り、好ましい実施例では、そのアイコン領域は、電気的に、主表示領域２１の統合された部分として見なされることができる」こと、
・「１方向のそれらの長さは、主表示領域２１の他のドットの長さに正確に一致するが、交差方向のそれらの長さは、アイコン−特定である。」こと、すなわち、「１方向のそれらの長さは、主表示領域２１の他のドットの長さに正確に一致するが、交差方向のそれらの長さは主表示領域２１の他のドットの長さと一致しない」ものも記載されているといえること、
・「アイコン領域は主表示領域に沿って１列もしくはそれ以上の列のドットとして形成され」ること、すなわち、「アイコン領域は主表示領域に沿って１列のドットとして形成され」ることも記載されているといえること、
が記載事項として抽出される。
　
　ここで、「主表示領域」と「アイコン表示領域」を合わせた表示領域を『全表示領域』と称すれば、引用例１には、
「全グラフィックドットマトリックス表示装置として形成され、ドットパターンに配置され、英数字記号及びそのようなものを表示するための『全表示領域』を備えた表示装置において、
　前記『全表示領域』の縦方向及び横方向に延びるように配置された、ドライバ１２，１３のそれぞれから平行に、延びる複数の電導性パスの電導体は、相互に交差して、それらの間には、電圧感応媒体が配置され、
　前記『全表示領域』は、
　ほぼ均一なドットパターンに配置され、英数字記号及びそのようなものを表示する主表示領域と、
　該主表示領域に隣接して設けられ、主表示領域のドットサイズとは一致しない特定のサイズのアイコン領域のドットによってアイコンに関する表示を行うアイコン表示領域と、
　を備え、
　更に、前記ドットパターンに配置された部分のうち前記アイコン表示部を有する前記ドットパターンに配置された部分は、
　主表示領域２１の他のドットの長さに正確に一致するドットを、
　文字等を表示する主表示部と、該主表示部の上に設けられた前記アイコン領域のドットの１ドット１行と、に区分した構成とした表示装置。」の発明（以下、「引用発明」という。）が記載されている。
　
（２）対比
　ここで、本願発明と引用発明を対比する。
　引用発明における「全グラフィックドットマトリックス表示装置として形成され」た点が、本願発明の「規定された所定個数のドットを縦方向及び横方向に配置し」たことに相当する。引用発明の「ドットパターンに配置され、英数字記号及びそのようなものを表示するための『全表示領域』」が本願発明の「配置されたドットによって１文字分の表示を行う部分ドット表示部を備えるとともに、該部分ドット表示部を１又は複数個組み合わせて文字列等を表示する全ドット表示部」に相当する。引用発明の「前記『全表示領域』の縦方向及び横方向に延びるように配置された、ドライバ１２，１３のそれぞれから平行に、延びる複数の電導性パスの電導体は、相互に交差して、それらの間には、電圧感応媒体が配置され」た構成より、技術常識を勘案すれば、ドライバ１２，１３はドットの点滅を制御するものであることは明らかであるから、引用発明のドライバ１２，１３は、本願発明の「前記全ドット表示部の縦方向及び横方向のドットの点滅を制御するドライバ手段」に相当する。
　また、引用発明において
「前記『全表示領域』は、ほぼ均一なドットパターンに配置され、英数字記号及びそのようなものを表示する主表示領域と、該主表示領域に隣接して設けられ、主表示領域のドットサイズとは一致しない特定のサイズのアイコン領域のドットによってアイコンに関する表示を行うアイコン表示領域と、を備え」る構造と、
本願発明において
「前記全ドット表示部は、所定サイズの標準ドットによって文字等を表示する文字表示部と、該文字表示部に隣接して設けられ、前記標準ドットより大きなサイズのアイコン用ドットによってアイコンに関する表示を行うアイコン表示部と、を備え」る構造とは、
「前記全ドット表示部は、所定サイズの標準ドットによって文字等を表示する文字表示部と、該文字表示部に隣接して設けられ、前記標準ドット
とは一致しないサイズの
　さらに、引用発明において
「前記ドットパターンに配置された部分のうち前記アイコン表示部を有する前記ドットパターンに配置された部分は、主表示領域２１の他のドットの長さに正確に一致するドットを、文字等を表示する主表示部と、該主表示部の上に設けられた前記アイコン用ドットの１ドット１行と、に区分した構成とした」構造は、
本願発明の選択的記載をも勘案すれば、本願発明の
「前記部分ドット表示部のうち前記アイコン表示部を有する前記部分ドット表示部は、　前記規定された所定個数の配置からなるドットを、　前記部分ドット表示部にて文字等を表示する前記文字表示部と、該文字表示部の上又は下に設けられた前記アイコン用ドットの１ドット１行と、に区分した構成とするか、或は、前記部分ドット表示部にて文字等を表示する前記文字表示部と、該文字表示部の右又は左に設けられた前記アイコン用ドットの１ドット１行と、に区分した構成とした」構造に相当するといえる。
　
　したがって、引用発明と本願発明とは、
「規定された所定個数のドットを縦方向及び横方向に配置し、該配置されたドットによって１文字分の表示を行う部分ドット表示部を備えるとともに、該部分ドット表示部を１又は複数個組み合わせて文字列等を表示する全ドット表示部を備えた表示装置において、
　前記全ドット表示部の縦方向及び横方向のドットの点滅を制御するドライバ手段を備えるとともに、
　前記全ドット表示部は、
　所定サイズの標準ドットによって文字等を表示する文字表示部と、
　該文字表示部に隣接して設けられ、前記標準ドットとは必ずしも一致しないサイズのアイコン用ドットによってアイコンに関する表示を行うアイコン表示部と、
　を備え、
　更に、前記部分ドット表示部のうち前記アイコン表示部を有する前記部分ドット表示部は、
　前記規定された所定個数の配置からなるドットを、
　前記部分ドット表示部にて文字等を表示する前記文字表示部と、該文字表示部の上又は下に設けられた前記アイコン用ドットの１ドット１行と、に区分した構成とするか、
　或は、前記部分ドット表示部にて文字等を表示する前記文字表示部と、該文字表示部の右又は左に設けられた前記アイコン用ドットの１ドット１行と、に区分した構成とした表示装置。」の点で一致し、以下の各点で相違する。
　
相違点１；
　「全ドット表示部の縦方向及び横方向のドットの点滅を制御するドライバ手段」に関して、本願発明においては、「一組」からなる点が明記されているのに対し、引用発明においては、その点が明確でない点。
　
相違点２；
　アイコン用ドットのサイズに関し、本願発明においては、文字を表示する「標準ドット」より大きいものであるのに対し、引用発明においては、その点の明確な特定がない点。
　
（３）当審の判断
　以下、上記相違点について検討する。
　
(3-1)相違点１について
　ドットマトリックス表示を用いた表示装置において、縦方向及び横方向のドットの点滅を制御するドライバ手段を、どのように切り分け、そして、どのように配設するかは、当業者が必要に応じて適宜設定し得る事項である。
　そして、文字表示部とアイコン表示部を有するマトリックス表示装置においても、縦方向及び横方向のドットの点滅を制御するドライバ手段を「一組」設けることは、例えば、特開平９−５７７５号公報（【００２０】【００２１】【００２６】【００２７】【図１】【図３】）にも記載されているように周知の技術であることにかんがみれば、引用発明において「全ドット表示部の縦方向及び横方向のドットの点滅を制御するドライバ手段」を「一組」からなると特定し、上記相違点１に係る発明特定事項を得ることは当業者が容易に想到し得た事項である。
　
(3-2)相違点２について
　相違点２に関し、引用発明においても「標準ドットとは一致しないサイズのアイコン用ドット」を用いるものであり、「標準ドットと異なるサイズのアイコン用ドット」を用いることの示唆があるといえる。したがって、アイコンの見やすさを考慮してアイコン用ドットを文字表示用の標準ドットよりも大きくすることは当業者が容易に想到し得るところである。
　また、アイコン用ドットを文字表示用の標準ドットより大きなものを用いることは周知の技術である（上記の特開平９−５７７５号公報（【００２０】【図３】）参照）ことからも、引用発明において、 アイコン用ドットのサイズに関し、文字を表示する「標準ドット」より大きいものを採用することすることは容易に想到し得ることである。
　したがって、上記相違点２に係る発明特定事項を得ることは当業者が容易に想到し得た事項である。
　
　そして、本願発明によってもたらされる効果は、上記引用発明及び上記周知技術から当業者が予測し得る程度のものである。
　
　したがって、本願発明は、引用例１に記載された発明及び従来周知の技術事項に基づいて当業者が容易に発明することができたものである。 
　
（４）むすび
　以上のとおり、本願補正発明は、引用例１に記載された発明及び従来周知の技術事項に基づいて、当業者が容易に発明をすることができたものであるから、特許法第２９条第２項の規定により特許を受けることができない。
　
　よって、結論のとおり審決する。